(57)【特許請求の範囲】
【請求項１】
注出器とカップ形状の容器及び該容器に収納できる内容物を入れたカートリッジからなり、注出器と容器は分離可能な構造である液体注出容器であって、該容器は、開口部が広口であり、該開口部は、注出器と着脱自在であり、且つ注出器と密封できる構造であり、前記カートリッジは、前記容器に収納できる形状の紙カップからなり、その開口部はヒートシール可能な蓋を用いて内容物を密封できる構造であり、該蓋には、中央に注出器の吸い上げ管を挿入するための孔を設け、該孔は易開封性のタブテープがシールされて塞がれた状態になっており、更に、該蓋の外側にはオーバーキャップが被せられているカートリッジであり、内容物の詰め替えはカートリッジの交換により行うことを特徴とするカートリッジ式液体注出容器。
【発明の詳細な説明】
【０００１】
【発明の属する技術分野】
本発明は、シャンプー、ボディシャンプー、リンス、液体洗剤、化粧用クリーム等の粘稠又はペースト状の液状物を注出口付き容器に入れて使用する場合、使用後に、注出口付き容器を廃棄することなく、内容物の詰め替えは、補充用のカートリッジの交換により行うものであり、内容物の詰め替えを容易にするために、詰め替え容器をカートリッジ方式に改良したものである。
【０００２】
【従来の技術】
従来、シャンプー、ボディシャンプー、リンス、液体洗剤、化粧用クリーム等の粘稠又はペースト状の液状物を注出口付き容器に入れて使用する場合、内容物がなくなると、殆どの場合、容器はそのまま廃棄されているのが現状である。
【０００３】
また、上記使い捨て容器による廃棄物公害や経済的デメリットを解消するために、一部に、内容物を詰め替え用の袋に入れた別売り製品が供給されている。
前記別売り製品は、スタンディングパウチ（底ガセットの自立袋）やピロー包装されたものが殆どで、詰め替え時は包装袋の一部を鋏みで切り取るか、又は包装袋に設けられたＶノッチ等を利用して開封し、空になった容器に移し替えることが行われていた。
しかし、容器の口径が小さいため、包装袋から容器への移し替えは煩雑で、詰め替え時に、内容物を容器の外にこぼしたり、又、内容物が粘稠なため、内容物を包装袋から十分に流出させることができず、包装袋に内容物が残り過ぎる等の問題があった。
【０００４】
【発明が解決しようとする課題】
使い捨て容器による廃棄物公害は大きな社会問題であり、包装容器に携わる者にとっては、包装・容器はできるだけ余分な部分をなくし必要最小限の形態とし、使用後のゴミを如何にして減らすかが大きな課題となっている。
そのために、包装・容器のリサイクルや再利用により上記問題を解決しようとする試みがなされている。
また、従来の詰め替え用包装袋の場合、詰め替え時に、内容物を容器の外にこぼしたり、又、内容物が粘稠なため、内容物を絞り出すのに手が汚れたり、袋に内容物が残る等の問題があった。
【０００５】
本発明は、以上の問題点を解消するために、前記液体注出容器は内容物が消費された後も、容器及び注出器は廃棄せずに繰り返し使用し、内容物の詰め替えは、内容物の入ったカートリッジの交換により行うものである。
また、詰め替え用カートリッジは紙カップ又は紙容器を使用するこにより、廃棄処理を容易にしたもである。
また、詰め替え用カートリッジに使用されるプラスチックシートから成形されるカップ形状の容器は、容器の肉厚を薄くすることができるので、ゴミの減少化が図れる。
更に、本発明は、内容物の詰め替えをカートリッジの交換により行うので、袋からの詰め替えのように、内容物をこぼしたり、手を汚すこともなく、短時間で簡単に詰め替えを行うことができる。
【０００６】
【課題を解決するための手段】
本発明は、上記課題を解決するために、種々検討した結果、カートリッジ式液体注出容器の構成を以下のようにした。
注出器とカップ形状の容器及び該容器に収納できる内容物を入れたカートリッジからなり、注出器と容器は分離可能な構造である液体注出容器であって、該容器は、開口部が広口であり、該開口部は、注出器と着脱自在であり、且つ注出器と密封できる構造であり、前記カートリッジは、前記容器に収納できる形状の紙カップからなり、その開口部はヒートシール可能な蓋を用いて内容物を密封できる構造であり、該蓋には、中央に注出器の吸い上げ管を挿入するための孔を設け、該孔は易開封性のタブテープがシールされて塞がれた状態になっており、更に、該蓋の外側にはオーバーキャップが被せられているカートリッジであり、内容物の詰め替えはカートリッジの交換により行うことを特徴とするカートリッジ式液体注出容器とした。
【０００７】
【発明の実施の形態】
以下、図面を参照にしながら本発明を詳細に説明する。
図１は本発明の液体注出容器を注出器、容器及び紙カップのカートリッジを用いて、組み立てるときの説明図である。
図２は紙カップ形状の容器からなる液体注出容器及びそれに使用する詰め替え用カートリッジの斜視図である。
図３は注出器、容器及びプラスチック製カップ形状のカートリッジを用いて、液体注出容器を組み立てるときの説明図である。
図４は図３における液体注出容器とそれに使用する詰め替え用カートリッジの斜視図である。
【０００８】
図５は角形紙容器のカートリッジ、及びそれに対応した容器と注出器を用いて、液体注出容器を組み立てるときの説明図である。
図６は図５における液体注出容器とそれに使用する詰め替え用カートリッジの斜視図である。
図７は紙カップを用いた詰め替え用カートリッジの模式断面図であり、図８はプラスチック製容器を用いた詰め替え用カートリッジの模式断面図であり、図９は角形紙容器を用いた詰め替え用カートリッジの模式断面図である。
図１０は蓋材に設けた孔をタブテープで塞ぐときの説明図で、（ａ）図は蓋材の平面図であり、（ｂ）図は（ａ）図のＸ−Ｘにおける断面図である。
【０００９】
本発明は、図２に示すように、液体注出容器１と詰め替え用カートリッジ４からなっており、そして、液体注出容器１は、図１に示すように、注出器３、容器２及びカートリッジ４から構成される。
尚、注出器３は、図１に示すように、押し下げヘッド８、ネジ蓋５及び吸い上げ管６からなる公知のものと同じ構造のものを使用した。
そして、注出器３と容器２とはネジ締めして密封するために、注出器３の蓋部の内側にはネジを形成してネジ蓋５とした。
【００１０】
本発明のカートリッジ式液体注出容器１の容器２は、図１に示すように、開口部は広口にして、容器２の中に詰め替え用カートリッジ４の出し入れを容易にし、カートリッジの交換が簡単にできるようにした。
また、容器２の開口部の外側には、図１に示すように、ネジ７が形成され、容器２と注出器３はネジ締めによって一体化して、内容物を密封できるようになっている。
【００１１】
前記注出器及び容器は、通常、プラスチックを用いて射出成形により作製される。注出器及び容器は、繰り返し使用されるため、耐久性、耐衝撃性、耐水性などが必要であり、材質としては、ポリプロピレン、ポリエチレン、ポリスチレン、ポリカーボネート、アクリル、ＡＢＳ等が使用される。
【００１２】
カートリッジ４は、図７に示すように、紙カップ１１に内容物１０を充填後、蓋材１２をヒートシールして密封し、その外側にオーバーキャップ１５を被せたものである。
そして、蓋材１２には、図１０（ａ）及び（ｂ）に示すように、中央に孔１３が設けられており、その孔１３は、タブテープ１４を孔１３の周辺の蓋材とシールしてシール部１６を形成することによって塞がれている。
しかし、図１０（ａ）及び（ｂ）に示すように、タブテープ１４には一部蓋材にシールしない非シール部１６ａを設け、その非シール部のタブテープを摘み片１７として利用し、この摘み片１７から剥離することにより、孔１３の部分を容易に開封できるようにした。
【００１３】
本発明のカートリッジ式液体注出容器は、図２に示すように、注出器３と容器２がセットされた液体注出容器１と内容物の入ったカートリッジ４がユーザーに供給される。又は、容器２にカートリッジ４を入れて、注出器３をセットした状態で供給される。
カートリッジ式液体注出容器を使用する際は、図１に示すように、先ず、カートリッジ４からオーバーキャップを取り去り、蓋材１２にシールしたタブテープ１４を剥離して、孔１３が出現するようにする。
【００１４】
次に、注出器３と容器２のネジを弛めて注出器３と容器２を分離し、容器２の中に、前記カートリッジ４を入れる。
カートリッジ４の蓋材１２に形成されている孔１３に、注出器３の吸い上げ管６を差し込んで容器２と注出器３をセットし、更にネジ蓋５と容器２をネジ締めして内容物を密封する。
内容物を入れた液体注出容器１は、押し下げヘッド８を押すことにより、内容物が一定量排出される。
【００１５】
内容物が消費されて無くなったときは、ネジ蓋５と容器２のネジを弛めて、注出器３を取り外し、容器２から空になったカートリッジ４を取り出し、次に、前記と同様に、別のカートリッジ４を入れて注出器３をセットして使用する。
以上のように、内容物の詰め替えは、カートリッジの交換によって簡単に行うことができるので、詰め替え作業は、手を汚すこともなく、又内容物をこぼすこともなく、極めて簡単に行うことができる。
更に、カートリッジの紙カップは、紙を主体とした積層材で作製されているので、廃棄の際は、これを押し潰せば容積は極めて小さくなり、又プラスチック製に比べて廃棄物公害の問題もなく、容器の廃棄も容易となる。
【００１６】
カートリッジの形状としては、紙カップ以外に以下のものが使用される。
その一例としてプラスチック製のシートから成形した丸形容器について説明する。
プラスチック製シートとしては、ポリスチレン（ＰＰ）、ＡＢＳ、ポリプロピレン（ＰＰ）、ポリエチレン（ＰＥ）、ポリ塩化ビニル（ＰＶＣ）、ポリカーボネート（ＰＣ）、ポリアクリロニトリル（ＡＮ）、非晶質ポリエチレンテレフタレート（Ａ−ＰＥＴ）等の単体のシート、又はガスバリヤー性の複合シートとしてＰＰ／ＥＶＯＨ／ＰＰ、ＰＰ／ＰＶＤＣ／ＰＰ、ＰＳ／ＰＶＤＣ／ＰＳ、ＰＳ／ＥＶＯＨ／ＰＳ等のシートが使用される。
但し、ＥＶＯＨはエチレンー酢酸ビニル共重合体ケン化物の略号である。
プラスチック製シートの厚さは、成形方法や成形容器の形状及び大きさ等によって決定されるが、真空成形、圧空成形又は真空・圧空成形用としては、通常、０．３〜２ｍｍ程度のものが使用される。
【００１７】
上記シートは真空成形、圧空成形又は真空・圧空成形等によって、図３に示すように、液体注出容器の容器２に収納できるように、所定の形状及び大きさに成形される。
また、上記成形容器は、図８に示すように、開口部にはフランジを設けて、内容物を充填後、そのフランジを利用して蓋材をシールして内容物を密封できるようにした。
蓋材は紙カップのときと同様に、中央に孔があり、その孔はタブテープでシールしたものが使用される。
【００１８】
また、カートリッジの別の形状として、図５及び図６に示すように、角形の紙容器が使用される。
角形の紙容器の場合、前記紙カップのように、注出器３と角形容器２ａをネジ締めによって密封することはできないので、図５及び図６に示すように、注出器３と角形容器２ａはワンタッチ方式の留め具を利用して密封した。
即ち、角形容器２ａの開口部近くの外側にリブ２５を設けると共に、注出器の蓋を止めるための固定留め具２３を、対向する位置に２箇所設ける。
また、注出器３の蓋５ａに、容器の固定留め具２３とワンタッチで固定できる可動型留め具２４を対向する位置に２箇所設ける。
尚、ワンタッチで固定される留め具は公知のものを使用し、注出器及び角形容器は射出成形により作製した。
【００１９】
角形紙容器のカートリッジは、以下のように作製される。
先ず、紙カップと同様に、ＰＥ／紙／ＰＥ、ＰＥ／紙／ＰＥ／アルミ／ＰＥ等の紙を主体とする積層材を用いて、図５に示すように、公知の成形方法によって角形紙容器２２を作製する。
次に、角形紙容器２２に内容物を充填後、図９に示すように、紙カップと同様に、蓋材１２をシールして密封し、その上に角形のオーバーキャップ１５を被せて角形紙容器のカートリッジとする。
【００２０】
【実施例】
以下、実施例に基づいて、図面を参照にして本発明を詳しく説明する。
（実施例１）
図１に示すように、本発明のカートリッジ式液体注出容器１は、注出器３、容器２、カートリッジ４から構成される。その液体注出容器を構成する注出器３及び容器２は、ポリプロピレン（以下ＰＰとする）の射出成形により作製した。
容器２は、容積５００ｍｌのカートリッジを収納できるように、口径８５ｍｍ、底部内径７４ｍｍ、高さ１５０ｍｍの大きさとした。
そして、容器上部の外側にはネジ７を形成して注出器３のネジ蓋５とネジ締めにより密閉できるようにした。
また、注出器３は公知技術を利用して各部品を作製し、これらの部品を組み合わせて注出器３を構成した。蓋５の内側にはネジを形成して容器２とネジ締めできるようにネジ蓋５とした。
【００２１】
また、カートリッジ４は以下のように作製した。
坪量２８０ｇ／ｍ2 のカップ原紙の両側にポリエチレン（ＰＥ）をラミネートして、ＰＥ 30 μｍ／紙 280ｇ／ｍ2 ／ＰＥ 30 μｍの積層材を作製し、この積層材を用いて、カップ成型機にて常法に従って、口径８０ｍｍ、底部内径７０ｍｍ、高さ１３０ｍｍの紙カップを作製した。
【００２２】
次に、蓋材として、ＰＥＴ 12 μｍ／Ａｌ 25 μｍ／ＰＥ 30 μｍの積層材を作製し、図１０（ａ）に示すように、この積層材を直径８５ｍｍの円形に打ち抜き、更に円形蓋材の中央に、打ち抜きにより直径１５ｍｍの孔１３を設けた。
また、蓋材と同じ積層材を用いて、そのＰＥ面にホットメルト剤を塗布し、蓋材のＰＥＴ面とイージーピールができるようにして、タブテープとした。
そして、前記蓋材の孔は、図１０（ａ）及び（ｂ）に示すように、その周囲にタブテープ１４をシールして塞いだ。
タブテープをシールする際、摘み片１７に相当するの部分はシールしないようにし、後でタブテープを剥離するときに摘みとして利用する。
【００２３】
上記紙カップに内容物として液体シャンプー５００ｍｌ充填し、これに上記蓋材をヒートシールして内容物を密封した。
更に、その上に別途作製したオーバーキャップを被せてシャンプーのカートリッジとした。
尚、オーバーキャップは厚さ０．６ｍｍのＰＰシートを真空成形して作製した。オーバーキャップのサイズは内径８４ｍｍ、深さ１０ｍｍとした。
【００２４】
（実施例２）
実施例１と同様に、ＰＰの射出成形により、注出器及び容器を作製した。
但し、容器の大きさは、開口部の直径１１５ｍｍ、底部内径８８ｍｍ、高さ１００ｍｍとした。
カートリッジ用容器は厚さ２ｍｍのＰＳシートを用いて、圧空・真空成形により、開口部の直径１００ｍｍ、底部内径８２ｍｍ、高さ８０ｍｍ、開口部のフランジの幅５ｍｍの成形容器を作製した。
【００２５】
蓋材は、ＰＥＴ 12 μｍ／Ａｌ 25 μｍ／ホットメルト 30 μｍの積層材を作製し、この積層材を直径１２０ｍｍの大きさに打ち抜き、これを実施例１と同様にして、孔１３にタブテープ１４をシールした蓋材を作製した。
次に、上記成形容器に液体シャンプー５００ｍｌ充填し、これに上記蓋材を成形容器のフランジにヒートシールして内容物を密封した。
更に、実施例１と同様に、別途作製したオーバーキャップを被せてシャンプーのカートリッジとした。
尚、オーバーキャップは厚さ０．６ｍｍのＰＰシートを真空成形して作製し、サイズは内径１１５ｍｍ、深さ１０ｍｍとした。
【００２６】
（実施例３）
図５及び図６に示すように、注出器３及び角形容器２ａは、ＰＰの射出成形により作製し、注出器３と角形容器２ａは留め具を利用してワンタッチ方式で密封する方式とした。
図５に示すように、角形容器２ａの開口部近くの外側にリブ２５を設けると共に、注出器の蓋を止めるための固定留め具２３を、対向する位置に２箇所設けた。
また、注出器３の蓋５ａに、容器の固定留め具２３とワンタッチで固定できる可動式留め具２４を対向する位置に２箇所設けた。
尚、ワンタッチで固定される留め具は公知のものを使用した。
図５に示すように、容器はＲをとった厚さ２ｍｍの角形容器とし、大きさは、開口部は縦８０ｍｍ×横１００ｍｍ、底部は縦６６ｍｍ×横８２ｍｍ、高さを１１５ｍｍとした。
【００２７】
カートリッジ用角形紙容器は、実施例１と同じ積層材、ＰＥ 30 μｍ／紙 280ｇ／ｍ2 ／ＰＥ 30 μｍを用いて、カップ成型機にて作製した。
容器形状は、図５に示すように、Ｒをとった角形紙容器とし、大きさは、開口部は縦７０ｍｍ×横９０ｍｍ、底部は縦６０ｍｍ×横７６ｍｍ、高さを１００ｍｍとした。
また、蓋材は、実施例１と同じＰＥＴ 12 μｍ／Ａｌ 25 μｍ／ＰＥ 30 μｍの積層材を用い、実施例１と同様に、図５に示すように、角形蓋材の中央に直径１５ｍｍの孔１３を設け、更に、その孔はイージーピール性のあるタブテープをシールして塞いだ。
角形蓋材の大きさは、縦８０ｍｍ×横１００ｍｍとした。
【００２８】
次に、実施例１と同様に、角形紙容器に液体シャンプー５００ｍｌ充填し、これに蓋材をヒートシールして内容物を密封した。
更に、実施例１と同様に、別途作製したオーバーキャップを被せてシャンプーのカートリッジとした。
尚、オーバーキャップは厚さ０．６ｍｍのＰＰシートを、縦８０ｍｍ×横１００ｍｍ、深さ１０ｍｍの形状に真空成形して作製した。
【００２９】
上記液体シャンプーの入った詰め替え用カートリッジを用いて、前記液体注出容器への詰め替えは以下のような方法で行った。
先ず、内容物が消費されて無くなった液体注出器は、図１に示すように、ネジ蓋５と容器２のネジを弛めて、注出器３を取り外し、容器２から空になったカートリッジ４を取り出し、空のカートリッジは廃棄した。
次に、詰め替え用のカートリッジのオーバーキャップを取り外し、カートリッジの蓋材１２に設けた摘み片１７を利用してタブテープ１４を剥離し、蓋材２に孔１３を出現させて、容器２に入れた。
【００３０】
前記孔１３に注出器３の吸い上げ管６を差し込んで容器２と注出器３をセットし、更にネジ蓋５と容器２をネジ締めして内容物を密封した。
詰め替え用カートリッジを入れた液体注出容器１は、押し下げヘッド８を押すことにより、一定量の内容物が排出された。
以上のように、内容物の詰め替えは、カートリッジの交換によって簡単に行うことができるので、詰め替え作業は、手を汚すこともなく、又内容物をこぼすことなく、極めて簡単に行うことができた。
【００３１】
【発明の効果】
本発明は、以上説明したように、液体注出容器の詰め替え容器としてカートリッジを使用したため、シャンプーや濃厚液体洗剤等のような粘稠な内容物でも、詰め替え時に、外にもらすことなく、又、手を汚すことなく、内容物の詰め替えを極めて簡単に行うことができる。
また、カートリッジの容器として、紙を主体とした積層材からなる紙カップや角形紙容器が使用できるので、廃棄の際は、これを押し潰せば容積は極めて小さくなり、又プラスチック製に比べて廃棄物公害の問題もなく、容器の廃棄が容易となる。
従って、大きな社会問題となっている使い捨て容器による廃棄物公害の問題解決に役立てることができる。
【図面の簡単な説明】
【図１】本発明の液体注出容器を、注出器、容器及び紙カップのカートリッジを用いて、組み立てるときの説明図である。
【図２】紙カップ形状の容器からなる液体注出容器及びそれに使用する詰め替え用カートリッジの斜視図である。
【図３】注出器、容器及びプラスチック製カップ形状のカートリッジを用いて、液体注出容器を組み立てるときの説明図である。
【図４】図３における液体注出容器とそれに使用する詰め替え用カートリッジの斜視図である。
【図５】角形紙容器のカートリッジ、及びそれに対応した注出器と容器を用いて、液体注出容器を組み立てるときの説明図である。
【図６】図５における液体注出容器とそれに使用する詰め替え用カートリッジの斜視図である。
【図７】紙カップを用いた詰め替え用カートリッジの模式断面図である。
【図８】プラスチック製容器を用いた詰め替え用カートリッジの模式断面図である。
【図９】角形紙容器を用いた詰め替え用カートリッジの模式断面図である。
【図１０】蓋材に設けた孔をタブテープで塞ぐときの説明図で、
（ａ）  蓋材の平面図である。
（ｂ）  （ａ）図のＸ−Ｘにおける断面図である。
【符号の説明】
１  液体注出容器
２  容器
２ａ  角形容器
３  注出器
４  カートリッジ（詰め替え用）
５  ネジ蓋
５ａ  注出器の蓋（角形容器用）
６  吸い上げ管
７  ネジ
８  押し下げヘッド
１０  内容物
１１  紙カップ
１２  蓋材
１３  孔
１４  タブテープ
１５  オーバーキャップ
１６  シール部
１６ａ  非シール部
１７  摘み片
２１  プラスチック製成形容器
２２  角形紙容器
２３  固定留め具
２４  可動型留め具
２５  リブ
【図１】
0003853433.tif 000002
【図２】
0003853433.tif 000003
【図３】
0003853433.tif 000004
【図４】
0003853433.tif 000005
【図５】
0003853433.tif 000006
【図６】
0003853433.tif 000007
【図７】
0003853433.tif 000008
【図８】
0003853433.tif 000009
【図９】
0003853433.tif 000010
【図１０】
0003853433.tif 000011